(57)【要約】【課題】木製防護柵及び木製支柱に木製ビームを連結するための木製防護柵の連結金具を提供する。【解決手段】略矩形状の薄板からなる基板１０と、基板１０の幅方向両端部の上面に立設した一対の起立板１１と、起立板１１の両端部を超える範囲の基板１０の裏面に基板１０の両端部を除いて固着した矩形状の補強板２０と、起立板１１の一端部近傍における補強板２０の幅方向両端部に反起立板方向に垂設した一対の規制板２１と、補強板２０の両端部から一定距離離間した基板１０の裏面の幅方向に固着した一対の桟板３０と、基板１０の両端部に穿設した長孔１２と、補強板２０の両端部近傍の基板１０に穿設した支持孔１３と、起立板１１の近傍における基板１０と補強板２０を貫通して穿設した固定孔１４からなり、補強板２０と桟板３０との間の基板１０を屈曲域Ｄとして形成した木製防護柵の連結金具を基本として提供する。【選択図】図１
2017210766.tif 000002
【特許請求の範囲】
【請求項１】
略矩形状の薄板からなる基板と、基板の幅方向両端部の上面に立設した一対の起立板と、起立板の両端部を超える範囲の基板の裏面に基板の両端部を除いて積層して固着した矩形状の補強板と、起立板の一端部近傍における補強板の幅方向両端部に反起立板方向に垂設した一対の規制板と、補強板の両端部から一定距離離間した基板の裏面の幅方向に積層して固着した一対の桟板と、基板の両端部に穿設した長孔と、補強板の両端部近傍の基板に穿設した支持孔と、起立板の近傍における基板と補強板を貫通して穿設した固定孔からなり、補強板と桟板との間の基板を屈曲域として形成したことを特徴とする木製防護柵の連結金具。
【請求項２】
基板を厚さ２ｍｍの薄板から形成するとともに、補強板及び桟板を厚さ１ｍｍの薄板から形成した請求項1記載の木製防護柵の連結金具。
【請求項３】
基板の長手方向両端部の角部を隅切りしてなる請求項１又は２記載の木製防護柵の連結金具。
【請求項４】
屈曲域において、基板を上下方向のいずれかに所定角度で屈曲させる請求項１，２又は３記載の木製防護柵の連結金具。
【請求項５】
地表に立設された木製の支柱内を水平方向に貫通して形成された貫通孔内に、請求項１〜４のいずれかに記載の木製防護柵の連結金具を挿通して、起立板を貫通孔内に位置させるとともに規制板を支柱に密接させて固定孔を介して連結金具を支柱に固定するとともに、支柱から突出させた連結金具の端部に横桟としての木製ビームを載置させて長孔及び支持孔を介して木製ビームを固定することにより構築したことを特徴とする木製防護柵。
【請求項６】
屈曲域において、基板を上下方向のいずれかに所定角度で屈曲させることにより、木製ビームを所定の角度に傾斜させて固定した請求項５記載の木製防護柵。
【請求項７】
木製ビームの傾斜角度を木製防護柵の構築地域の勾配に沿って所定角度に傾斜させた請求項６記載の木製防護柵。
【請求項８】
固定孔に皿木ネジを挿入して連結金具を支柱に固定した請求項５，６又は７記載の木製防護柵。
【請求項９】
支持孔にコーチスクリューを挿入して木製ビームを連結金具に固定した請求項５，６，７又は８記載の木製防護柵。
【発明の詳細な説明】
【技術分野】
【０００１】
本発明は、各種の木製防護柵、特には公園，遊歩道，森林ウォーキングロード，歩道等の主として自然環境を重視した地域において、境界の明示，安全対策や経路の案内用として設置する木製防護柵及び木製防護柵の木製支柱に木製ビームを連結するための連結金具に関するものである。
【背景技術】
【０００２】
従来から横断防止柵，境界フェンス，転落防止柵等の各種防護柵を構築する際には、所定間隔に配置した支柱の上端から筒状の水平ビームを架設し、この水平ビームの内径と略同径の外径を有する接続部材の一端部を水平ビームの端部に挿入し、この接続部材の他端部を次の水平ビームの端部に挿入して支柱上端に設けた取付部上に載置し、接続部材の両端に設けたボルト孔にボルトを挿入して固定することにより水平ビームを支柱上端に取付ける方法が一般に用いられている。
【０００３】
上記構造の従来の防護柵は設置場所に関わらず、耐久性・安全性の観点から金属製の材質の防護柵が多用されてきた。このことは、公園や遊歩道等の自然環境を重視した地域に構築される防護柵においても同様であった。しかしながら、近時は自然志向の高まりと相俟って、自然環境を重視した地域における遊歩道や森林ウォーキングロード（主に緩傾斜からなり、一般の歩道より広い道幅をもち、森林療法／セラピーに適した森林内歩道）の設置や整備が進み、又それ以外の地域においても自然と調和する工法として、天然の木材（特には間伐材）を使用した木製防護柵の需要が高まっている。このような木製防護柵としては１本の支柱の両側に２個の連結金具を用いて横桟としての木製ビームを連結した構造が一般に用いられている。
【０００４】
また、本発明者は先に、木製支柱に対する木製ビームの連結に適した防護柵の連結金具として、平板状の基体の略中央両端部に形成された突条と、この突条に近接する基体裏面側にあって先鋭部が中央部を向くように突設されたクサビと、基体から左右に伸びる延長部とから構成された防護柵の連結金具と、この連結金具を用いて構築した防護柵を提供している（特許文献１）。
【先行技術文献】
【特許文献】
【０００５】
【特許文献１】特開２００６−１８３２６２号公報
【発明の概要】
【発明が解決しようとする課題】
【０００６】
特許文献１にかかる防護柵及びその連結金具によれば、木製ビームの構築作業が簡易であるとともに、連結金具の点数が最小限となるため施工コストを低廉化することができる。また、連結金具が外部から看取されないため、外観上の見映えが良好である。しかしながら、特許文献１に示すような防護柵は構造的な防腐効果を見出すことができず、又木製ビームは、鉛直方向に立設された木製の支柱に対して直交する方向、即ち、水平方向にのみ連結されるものではない。木製防護柵を構築する地域の起伏や勾配に対応して、支柱に対して上下方向に所定角度傾斜させて連結する必要がある。そのため、木製ビームを傾斜させて支柱に連結するためには、連結金具の木製ビームを支持する箇所を屈曲させる必要がある。
【０００７】
木製ビームを支柱に連結するための連結金具には、本質的機能として荷重に対応するための強度が要求されるが、強度を高めると木製ビームを支持する箇所を設置場所の縦断勾配の変化に沿って所定角度に屈曲し、該屈曲した箇所に木製ビームを支持することによって、木製ビームを傾斜させて施工することが困難となり、一方、屈曲を容易とするために強度を調節すると連結金具として本来必要とする強度を保持することができなくなるおそれがある。例えば、特許文献１にかかる防護柵の連結金具の基体は、同一厚さの板材から構成されているため、必要な強度を保持すると、木製ビームの勾配に応じて、所定の角度に正確に折り曲げることが困難である。
【０００８】
そこで、本発明は、上記した木製防護柵及びその連結金具に求められている強度の保持と木製ビームを傾斜させて支持することの双方の課題を同時に満足するとともに、構築作業が簡易であり、連結金具が外部から看取されないことにより天然木材の持つ雰囲気を高めることができて外観性が良好であり、連結金具が風雨に曝されることがなく腐食を防止することができる木製防護柵及びその連結金具を提供することを目的とするものである。
【課題を解決するための手段】
【０００９】
本発明はその目的を達成するために、略矩形状の薄板からなる基板と、基板の幅方向両端部の上面に立設した一対の起立板と、起立板の両端部を超える範囲の基板の裏面に基板の両端部を除いて積層して固着した矩形状の補強板と、起立板の一端部近傍における補強板の幅方向両端部に反起立板方向に垂設した一対の規制板と、補強板の両端部から一定距離離間した基板の裏面の幅方向に積層して固着した一対の桟板と、基板の両端部に穿設した長孔と、補強板の両端部近傍の基板に穿設した支持孔と、起立板の近傍における基板と補強板を貫通して穿設した固定孔からなり、補強板と桟板との間の基板を屈曲域として形成した木製防護柵の連結金具を基本として提供する。
【００１０】
そして、基板を厚さ２ｍｍの薄板から形成するとともに、補強板及び桟板を厚さ１ｍｍの薄板から形成した構成、基板の長手方向両端部の角部を隅切りしてなる構成、及び屈曲域において、基板を上下方向のいずれかに所定角度で屈曲させる構成を提供する。
【００１１】
そして、地表に立設された木製の支柱内を水平方向に貫通して形成された貫通孔内に、前記した構成の木製防護柵の連結金具を挿通して、起立板を貫通孔内に位置させるとともに規制板を支柱に密接させて固定孔を介して連結金具を支柱に固定するとともに、支柱から突出させた連結金具の端部に横桟としての木製ビームを載置させて長孔及び支持孔を介して木製ビームを固定することにより構築した木製防護柵を提供する。
【００１２】
更に、屈曲域において、基板を上下方向のいずれかに所定角度で屈曲させることにより、木製ビームを所定の角度に傾斜させて固定した構成、木製ビームの傾斜角度を木製防護柵の構築地域の勾配に沿って所定角度に傾斜させた構成、 固定孔に皿木ネジを挿入して連結金具を支柱に固定した構成、及び支持孔にコーチスクリューを挿入して木製ビームを連結金具に固定した構成を提供する。
【発明の効果】
【００１３】
以上記載した本発明によれば、起立板の両端部を超える範囲の基板の裏面に基板の両端部を除いて矩形状の補強板を固着しているため、基板を薄板から構成しても、基板と補強板が相俟って連結金具として必要十分な強度を得ることができる。そして、基板と補強板及び基板と桟板からなる構成の間に、基板のみから構成される屈曲域を設けているため、この屈曲域において基板を上下方向の任意の角度に容易に屈曲することができる。そのため、木製防護柵の構築地域の勾配に沿って所定角度に傾斜させて木製ビームを支柱に連結することができる。また、補強板の端部から一定距離離間した基板の裏面の幅方向に桟板を固着してあるため、連結金具の端部における歪みを効果的に防止することができる。
【００１４】
そのため、木製ビームを支柱に連結するための連結金具に要求される強度と、木製防護柵の構築地域の縦断勾配に沿って所定角度に傾斜させて木製ビームを支柱に連結することができる作業性の双方を高いレベルで実現することができる。更に、支柱の貫通孔の方向を変化させることにより、連結金具の貫通孔への挿通方向を任意に調節することができるため、木製防護柵の水平方向におけるカーブを構築地域に応じて任意に設定して木製防護柵を構築することができる。
【００１５】
更に、１個の連結金具の両端部に左右の木製ビームを連結することができるため、従来の連結金具に比して金具自体の個数は半分となり、木製防護柵の構築作業が簡易になるとともに施工コストを低廉化することができ、かつ、確実・強固に固着できる。また、木製ビームの接続に使用した連結金具が外部から看取されないので、天然木材を使用した木製防護柵において雰囲気を壊す金具を使用していることが判らず、構築した木製防護柵の外観性が良好であるとともにデザイン性に優れている。
【図面の簡単な説明】
【００１６】
【図１】本発明にかかる連結金具の全体斜視図。
【図２】連結金具の正面図。
【図３】連結金具の平面図。
【図４】図３のＡ−Ａ断面図。
【図５】図３のＢ−Ｂ断面図。
【図６】基板の全体斜視図。
【図７】基板の正面図。
【図８】基板の平面図。
【図９】補強板の全体斜視図。
【図１０】補強板の正面図。
【図１１】補強板の平面図。
【図１２】桟板の（ａ）全体斜視図、（ｂ）正面図、（ｃ）平面図。
【図１３】連結金具を使用した木製防護柵の要部断面説明図。
【図１４】連結金具を屈曲させて使用した木製防護柵の要部断面説明図。
【図１５】木製防護柵の全体斜視図。
【図１６】木製防護柵の要部正面図。
【図１７】支柱固定金具の正面図。
【図１８】支柱固定金具の側面図。
【図１９】支柱固定金具の平面図。
【図２０】木製支柱の立設状態を示す要部正面図。
【図２１】木製支柱の立設状態を示す要部平面図。
【発明を実施するための形態】
【００１７】
以下図面に基づいて本発明にかかる木製防護柵及びその連結金具の実施形態を説明する。図１は本発明にかかる木製防護柵２の連結金具１の全体斜視図、図２はその正面図、図３はその平面図、図４は図３のＡ−Ａ断面図、図５は図３のＢ−Ｂ断面図、図６は基板１０の全体斜視図、図７はその正面図、図８はその平面図である。
【００１８】
図において、基板１０は平面視が矩形状の金属製（例えばＳＵＳ３０４等のステンレス鋼材）の薄板からなり、長手方向の両端部角部を所定角度で隅切りして、隅切り部１０ａ，１０ｂ，１０ｃ，１０ｄを切削形成することにより、取扱時の利便性を高めている（図６参照）。図示例では、基板１０の全長Ｌ×全幅Ｗ×厚さＴを３５０ｍｍ×５２ｍｍ×２ｍｍに形成している（図７，図８参照）。
【００１９】
基板１０の中央部における幅方向両端部の上面には一対の起立板１１を垂直方向に立設している。図示例では、この起立板１１の全幅Ｌ１×高Ｈ１×厚さＴ１を１０４ｍｍ×１４ｍｍ×２ｍｍに形成している。
【００２０】
図９は補強板２０の全体斜視図、図１０はその正面図、図１１はその平面図である。補強板２０は平面視が矩形状の金属製の薄板からなり、図示例では、全長Ｌ２×全幅Ｗ２×厚さＴ２を１８０ｍｍ×５２ｍｍ×１ｍｍに形成している（図１０，図１１参照）。この補強板２０を、起立板１１の両端部を超える範囲の基板１０の裏面にスポット溶接，ビス，接着剤等の適宜の手段によって固着している。よって、基板１０は、その両端部を除いた裏面の中央部分全面に補強板２０が一体として積層して固着されている。図示例では、基板１０に補強板２０が固着された範囲の厚さは３ｍｍ（Ｔ＋Ｔ２）となっており、使用時における連結金具１にかかる荷重を支える強度部材として機能する。一方、ＳＵＳ３０４等のステンレス鋼材を３ｍｍの厚さとすると、修正が難しく、木製防護柵２の施工現場において屈曲加工しようとすると屈曲角度，屈曲箇所にばらつきが生じてしまう。
【００２１】
この補強板２０の長手方向の一端部近傍における幅方向両端部に一対の矩形状の規制板２１が垂直方向に垂設されている。図示例では、この規制板２１の全幅Ｌ３×高Ｈ３×厚さＴ３を２０ｍｍ×１６ｍｍ×１ｍｍに形成している（図１０，図１１参照）。この規制板２１は、基板１０に補強板２０を固着した状態において、基板１０の起立板１１の一端部近傍において起立板１１の反対方向に垂設される。
【００２２】
図１２（ａ）は桟板３０の全体斜視図、（ｂ）はその正面図、（ｃ）はその平面図である。桟板３０は平面視が矩形状の金属製の薄板からなり、図示例では、全長Ｌ４×全幅Ｗ４×厚さＴ４を５２ｍｍ×１０ｍｍ×１ｍｍに形成している。この桟板３０を、基板１０に固着した補強板２０の両端部から一定距離離間させた基板１０の裏面の幅方向にスポット溶接，ビス，接着剤等の適宜の手段によって積層して固着する。図示例では、基板１０に桟板３０が固着された範囲の厚さは３ｍｍ（Ｔ＋Ｔ４）となっており、使用時における連結金具１にかかる荷重を支持するとともに、連結金具１の端部における歪みを防止する強度部材として機能する。
【００２３】
上記構成を採用することにより、連結金具１において、基板１０のみからなる補強板２０と桟板３０との間を屈曲域Ｄとして形成した。このように、基板１０を薄板から構成するとともに、基板１０に補強板２０及び桟板３０を固着することによって、強度部材を構成し、連結金具１にかかる荷重を支持するための強度を実現した。同時に補強板２０と桟板３０との間に基板１０の薄板のみからなる屈曲域をＤを形成することにより、連結金具１を所望の角度に屈曲形成可能とした。図示例では基板１０として２ｍｍの厚さの薄板を使用しており、ＳＵＳ３０４等のステンレス鋼材であっても木製防護柵２の施工現場において屈曲加工する際に所定の屈曲角度，屈曲箇所で正確に加工することが容易である。この屈曲域Ｄは、基板１０と補強板２０が一体に固着した強度部材からなる強度域と、基板１０と桟板３０が一体に固着した強度部材からなる強度域との間に挟まれているため、その強度の差分（厚さＴ＋Ｔ２又はＴ＋Ｔ４と厚さＴとの差分）によって、施工時における屈曲加工が容易である。このように、基板１０に強度に強弱を設けたことが本発明の特徴の１つである。
【００２４】
そして、連結金具１には、木製防護柵２を構成する木製支柱３に連結金具１を固定するとともに、連結金具１に木製ビーム４を固定するための適宜の取付孔が形成されている。図示例では、基板１０における桟板３０より開放端側の両端部には、一対の長孔１２を穿設し、補強板２０の長手方向の両端部近傍、即ち、補強板２０と桟板３０の間の屈曲域Ｄにおける基板１０に支持孔１３を穿設するとともに、起立板１１の長手方向の一端部近傍における基板１０と補強板２０を貫通して固定孔１４を穿設している。
【００２５】
次に上記構成の連結金具１を使用して、木製ビーム４を木製支柱３に固定して構築する木製防護柵２の構成を説明する。図１３は連結金具１を使用した木製防護柵の要部断面説明図である。先ず、地表に立設した丸型の木製支柱３内を水平方向に貫通して形成した貫通孔５内に、起立板１１を上方として連結金具１を挿通するとともに、基板１０の裏面に固着した補強板２０に垂設した規制板２１を木製支柱３の側面に密接させる。その後、固定孔１４から木製支柱３の貫通孔５内に向けて、皿木ネジ（図示略）等の固定具を挿入して連結金具１を支柱に固定する。これにより、貫通孔５内に連結金具１が固定されるとともに、貫通孔５内から連結金具１の両端が突出した状態となる。
【００２６】
次に、横桟としての木製ビーム４を水平方向に固定する場合は、下端面を水平に切削するとともに、木製ビーム４の端部を、木製支柱３の貫通孔５から突出している連結金具１の端部に載置し、長孔１２からボルト１５を挿通して固定し、更に支持孔１３からコーチスクリュー（図示略）等の支持具を挿入して木製支柱３に固定する。この作業を横桟となる木製ビーム４の本数だけ行うことによって、図１３に示す木製防護柵２が構築される。更に、木製支柱３の貫通孔５の水平方向における切削方向を変化させることにより、連結金具１の貫通孔５への挿通方向を任意に調節することができるため、木製防護柵２の水平方向におけるカーブを構築地域に応じて任意に設定することができる。なお、図示例では木製支柱３及び木製ビーム４として、間伐材からなる直径１２０ｍｍの無垢の棒材を使用した。
【００２７】
上記した図１３に示す木製防護柵２は、木製ビーム４を木製支柱３に対して直交する方向に固定したものであるが、木製防護柵２を構築する場所によっては、その起伏や勾配に対応して、木製ビーム４を木製支柱３に対して上下方向に所定角度傾斜させて連結する必要がある。そのため、木製ビーム４を傾斜させて木製支柱３に連結するためには、木製ビームを載置させて支持する連結金具１の両端部を容易に屈曲させるために、連結金具１において、補強板２０と桟板３０との間に基板１０のみからなる屈曲域Ｄを形成してある。
【００２８】
よって、図１４に示すように、貫通孔５に連結金具１を挿通して固定した後に、連結金具１の両端部を屈曲域Ｄを起点として、木製防護柵２を構築する場所の起伏や勾配に対応して、上下方向に所定の角度で屈曲させる。図１４は連結金具１の左側の屈曲域Ｄを上方（時計回り方向）に、右側の屈曲域Ｄを下方（時計回り方向）に屈曲させた例である。この屈曲の方向や角度は設置場所に応じて任意に設定するものである。このようにして屈曲させた連結金具１の両端部への木製ビーム４の固定手段は前記した図１３に示すケースと同様である。この屈曲域Ｄは、基板１０と補強板２０が一体に固着した強度部材からなる強度域と、基板１０と桟板３０が一体に固着した強度部材からなる強度域との間に挟まれているため、その強度の差分（厚さＴ＋Ｔ２又はＴ＋Ｔ４と厚さＴとの差分）によって、施工時における屈曲加工が容易である。
【００２９】
従来の木製防護柵は自然環境に調和し、外観上の見映えもよいが、金属製防護柵に比較して腐食に弱く、耐久性に難があり、又部品の交換が困難な課題を残している。この腐食の問題は、木製ビームに比べて、木製支柱に際だって多く、中でも木製支柱が地面と接する地際部分において顕著である。これは地際部分が乾燥と湿潤を繰り返す部分であり、栄養分の補給も容易であるため、腐食による劣化の進行が早いためである。併せて物や人の衝突、落石等によって木製支柱や木製ビームが損傷してしまうこともある。しかしながら、従来の木製支柱は地面に直接埋設されている構造が多く、地際部分からの腐食を避けられず、又交換が困難であった。
【００３０】
そこで、本発明では木製防護柵２の耐久性や強度を向上させるために、木製支柱３の腐食を防止し、その交換を容易とする構造を新たに採用した。以下、その構成を説明する。図１７は、本発明で採用した支柱固定金具４０の正面図、図１８はその側面図、図１９はその平面図、図２０は木製支柱３の立設状態を示す要部正面図、図２１はその要部平面図である。支柱固定金具４０は、所定面積を有する矩形状の板材からなる座板４１と、座板４１の中央部に垂直方向に立設された所定面積を有する矩形状の板材からなる挿通板４３から構成されている。座板４１の隅部には、座板４１を固定するための固定孔４２が穿設され、挿通板４３の中央部には１又は複数のボルト孔４４が穿設されている。図示例では、座板４１の全長Ｌ５×全幅Ｗ５×厚さＴ５を２２０ｍｍ×２２０ｍｍ×３ｍｍに、挿通板４３の全幅Ｗ６×全高Ｈ６×厚さＴ６を１００ｍｍ×３００ｍｍ×３ｍｍに形成している。
【００３１】
図２０，図２１において、４５はコンクリート製の基礎であって、この基礎４５上に支柱固定金具４０を介して木製支柱３を立設する。先ず、木製防護柵２を施工する地域の起伏や勾配に対応して木製支柱３を立設する所定箇所に、水平な上面を有する基礎４５を構築する。そして、この基礎４５の上面に、支柱固定金具４０の座板４１を載置し、固定孔４２を介してボルト４６で基礎４５に固定する。次に、木製支柱３の下端面に挿通板４３を収納可能な挿通孔４７を切削形成し、この挿通孔４７を支柱固定金具４０の挿通板４３に被冠させ、ボルト４８で固定して、木製支柱３を立設する。
【００３２】
かかる木製支柱３は、腐食の原因となる地際部分に基礎４５及び支柱固定金具４０の座板４１が存在するため、地面との縁が切られており、腐食を低減させて木製支柱３の耐久性が向上し、長寿命化を図ることができる。また、木製支柱３は支柱固定金具４０によって、基礎４５に固定されているため、強度が補強されており、損傷が少ない。更に、腐食して交換を必要とする場合においても、ボルトを外して支柱固定金具４０の挿通板４３から木製支柱３を引き抜くだけで容易に交換することができる。なお、木製ビーム４も上記した構成の連結金具１を使用して木製支柱３に固定しているため、木製ビーム４そのものも容易に交換することが可能である。
【産業上の利用可能性】
【００３３】
以上記載した本発明によれば、起立板の両端部を超える範囲の基板の裏面に基板の両端部を除いて矩形状の補強板を固着しているため、基板を薄板から構成しても、基板と補強板が相俟って連結金具として必要十分な強度を得ることができる。そして、基板と補強板及び基板と桟板からなる構成の間に、基板のみから構成される屈曲域を設けているため、この屈曲域において基板を上下方向の任意の角度に容易に屈曲することができる。そのため、木製防護柵の構築地域の勾配に沿って所定角度に傾斜させて木製ビームを支柱に連結することができる。また、補強板の端部から一定距離離間した基板の裏面の幅方向に桟板を固着してあるため、連結金具の端部における歪みを効果的に防止することができる。
【００３４】
そのため、木製ビームを支柱に連結するための連結金具に要求される強度と、木製防護柵の構築地域の勾配に沿って所定角度に傾斜させて木製ビームを支柱に連結することができる作業性の双方を高いレベルで実現することができる。更に、支柱の貫通孔の方向を変化させることにより、連結金具の貫通孔への挿通方向を任意に調節することができるため、木製防護柵の水平方向におけるカーブを構築地域に応じて任意に設定して木製防護柵を構築することができる。
【００３５】
更に、１個の連結金具の両端部に左右の木製ビームを連結することができるため、従来の連結金具に比して金具自体の個数は半分となり、木製防護柵の構築作業が簡易になるとともに施工コストを低廉化することができ、かつ、確実・強固に固着できる。また、木製ビームの接続に使用した連結金具が外部から看取されないので、天然木材を使用した木製防護柵において雰囲気を壊す金具を使用していることが判らず、構築した木製防護柵の外観性が良好であるとともにデザイン性に優れている。
【符号の説明】
【００３６】
１…連結金具
２…木製防護柵
３…木製支柱
４…木製ビーム
５…貫通孔
１０…基板
１１…起立板
１２…長孔
１３…支持孔
１４，４２…固定孔
２０…補強板
２１…規制板
３０…桟板
４０…支柱固定金具
４１…座板
４３…挿通板
４４…ボルト孔
４５…（コンクリート製の）基礎
４６，４８…ボルト
４７…挿通孔
【図１】
2017210766.tif 000003
【図２】
2017210766.tif 000004
【図３】
2017210766.tif 000005
【図４】
2017210766.tif 000006
【図５】
2017210766.tif 000007
【図６】
2017210766.tif 000008
【図７】
2017210766.tif 000009
【図８】
2017210766.tif 000010
【図９】
2017210766.tif 000011
【図１０】
2017210766.tif 000012
【図１１】
2017210766.tif 000013
【図１２】
2017210766.tif 000014
【図１３】
2017210766.tif 000015
【図１４】
2017210766.tif 000016
【図１５】
2017210766.tif 000017
【図１６】
2017210766.tif 000018
【図１７】
2017210766.tif 000019
【図１８】
2017210766.tif 000020
【図１９】
2017210766.tif 000021
【図２０】
2017210766.tif 000022
【図２１】
2017210766.tif 000023